(57)【特許請求の範囲】
【請求項１】
通信中の各通信端末装置から送信された、前記各通信端末装置が所望の品質で受信可能である下り伝送レートを示す第１情報に基づいて通信リソースの割り振りを行う割り振り手段と、
前記第１情報を送信した通信端末装置の数が所定の閾値より多い場合にトラフィック状況が増大していると判断し、前記トラフィック状況が増大しているか否かに応じて選択可能な伝送レートを決定する伝送レート決定手段と、
通信リソースの割り振りを示す第２情報及び選択可能な伝送レートを示す第３情報を作成して通信端末装置に送信する制御情報送信手段と、
通信リソースの割り振りに従って特定の通信端末装置にデータを送信するデータ送信手段と、
を具備することを特徴とする基地局装置。
【請求項２】
伝送レート決定手段は、トラフィック状況が増大している場合、低い伝送レートを選択肢から外すことを特徴とする請求項１記載の基地局装置。
【請求項３】
伝送レート決定手段は、要求された伝送レートの分布に従って前記閾値を逐次変化させることを特徴とする請求項１記載の基地局装置。
【請求項４】
通信中の各通信端末装置から送信された、前記各通信端末装置が所望の品質で受信可能である下り伝送レートを示す第１情報に基づいて通信リソースの割り振りを行う割り振り手段と、
第１閾値よりも低い伝送レートを要求した通信端末装置の数が第２閾値より多い場合、トラフィック状況が増大していると判断し、前記トラフィック状況が増大しているか否かに応じて選択可能な伝送レート決定する伝送レート決定手段と、
通信リソースの割り振りを示す第２情報及び選択可能な伝送レートを示す第３情報を作成して通信端末装置に送信する制御情報送信手段と、
通信リソースの割り振りに従って特定の通信端末装置にデータを送信するデータ送信手段と、
を具備することを特徴とする基地局装置。
【請求項５】
伝送レート決定手段は、要求された伝送レートの分布に従って前記第１閾値あるいは前記第２閾値の少なくとも一方を逐次変化させることを特徴とする請求項４記載の基地局装置。
【請求項６】
伝送レート決定手段は、近隣セルのトラフィック情報を検出し、前記近隣セルの容量に余裕がある場合のみ、低い伝送レートを選択肢から外すことを特徴とする請求項１から請求項５のいずれかに記載の基地局装置。
【請求項７】
伝送レート決定手段は、近隣エリアでサービスを提供している他通信システムのトラフィック情報を検出し、前記他通信システムの容量に余裕がある場合のみ、低い伝送レートを選択肢から外すことを特徴とする請求項１から請求項５のいずれかに記載の基地局装置。
【請求項８】
請求項１から請求項７のいずれかに記載の基地局装置から送信された信号の受信品質を測定する測定手段と、
測定された受信品質に基づいて所望品質で受信可能な伝送レートを算出する伝送レート算出手段と、
前記基地局装置から送信された信号から第２情報及び第３情報を復調する復調手段と、
算出された伝送レートが、前記第３情報に基づいて選択可能である場合のみ新たな第１情報を作成して前記基地局装置に送信する制御情報送信手段と、
前記第２情報に従って前記基地局装置から送信されたデータを受信するデータ受信手段と、
を具備することを特徴とする通信端末装置。
【請求項９】
基地局装置で用いられる通信方法であって、
通信中の各通信端末装置から送信された、前記各通信端末装置が所望の品質で受信可能である下り伝送レートを示す第１情報に基づいて通信リソースの割り振りを行う割り振り工程と、
前記第１情報を送信した通信端末装置の数が所定の閾値より多い場合にトラフィック状況が増大していると判断し、前記トラフィック状況が増大しているか否かに応じて選択可能な伝送レート決定する伝送レート決定工程と、
通信リソースの割り振りを示す第２情報及び選択可能な伝送レートを示す第３情報を作成して通信端末装置に送信する制御情報送信工程と、
通信リソースの割り振りに従って特定の通信端末装置にデータを送信するデータ送信工程と、
を具備することを特徴とする通信方法。
【請求項１０】
基地局装置で用いられる通信方法であって、
通信中の各通信端末装置から送信された、前記各通信端末装置が所望の品質で受信可能である下り伝送レートを示す第１情報に基づいて通信リソースの割り振りを行う割り振り工程と、
第１閾値よりも低い伝送レートを要求した通信端末装置の数が第２閾値より多い場合、トラフィック状況が増大していると判断し、前記トラフィック状況が増大しているか否かに応じて選択可能な伝送レート決定する伝送レート決定工程と、
通信リソースの割り振りを示す第２情報及び選択可能な伝送レートを示す第３情報を作成して通信端末装置に送信する制御情報送信工程と、
通信リソースの割り振りに従って特定の通信端末装置にデータを送信するデータ送信工程と、
を具備することを特徴とする通信方法。
【発明の詳細な説明】
【０００１】
【発明の属する技術分野】
本発明は、セルラー通信システムに用いられる基地局装置、通信端末装置及び通信方法に関する。
【０００２】
【従来の技術】
セルラー通信システムは、１つの基地局が複数の通信端末と同時に無線通信を行うもので、近年の需要増加に伴い、伝送効率を高めることが要求されている。
【０００３】
基地局から通信端末への下り回線の伝送効率を高める技術としてＨＤＲ（Ｈｉｇｈ  Ｄａｔａ  Ｒａｔｅ）が提案されている。ＨＤＲは、基地局が通信リソースを時間分割して各通信端末に割り振るスケジューリングを行い、さらに通信品質に従って通信端末毎に伝送レートを設定してデータを送信する方法である。
【０００４】
以下、基地局と通信端末とが、ＨＤＲにおいて伝送レートを設定するために行う動作について、図３を用いて説明する。図３において、基地局１１は、現在、通信端末１２〜１４と通信を行っているものとする。
【０００５】
まず、基地局１１が各通信端末１２〜１４にパイロット信号を送信する。各通信端末１２〜１４は、パイロット信号に基づくＣＩＲ（希望波対干渉波比）等により通信品質を推定し、通信可能な伝送レートを求める。そして、各通信端末１２〜１４は、通信可能な伝送レートに基づいて、パケット長、エラー訂正、変調方式の組み合わせである通信モードを選択し、通信モードを示す信号を基地局１１に送信する。なお、各システムにおける使用可能な変調方式の種類は、ＢＰＳＫ、ＱＰＳＫ、１６ＱＡＭ、６４ＱＡＭ等、予め決められている。また、各システムにおける使用可能なエラー訂正の種類は、１／２ターボ符号、１／３ターボ符号、３／４ターボ符号等、予め決められている。そして、これらパケット長、変調方式、エラー訂正方式の組み合わせにより、各システムにおける使用可能な伝送レートが複数定められている。各通信端末は、それらの伝送レートの中から１つを選択する。
【０００６】
基地局１１は、各通信端末１２〜１４にて選択された通信モードに基づいてスケジューリングを行ない、通信端末毎に伝送レートを設定し、コントロールチャネルを通して各通信端末１２〜１４に各通信端末への通信リソースの割り振りを示す信号を報知する。一般的に、基地局は、システムの伝送効率の向上を考慮して、通信可能な伝送レートが高い通信端末に優先的に通信リソースを割り振る。
【０００７】
そして、基地局１１は、割り振った時間において該当する通信端末に対してのみデータを送信する。例えば、時間ｔ１を通信端末１２に割り振った場合、基地局１１は、時間ｔ１において通信端末１２に対してのみデータを送信し、通信端末１３、１４に対しては送信しない。
【０００８】
このように、従来から、ＨＤＲにより通信品質に従って通信端末毎に伝送レートを設定し、通信可能な伝送レートが高い通信端末に優先的に通信リソースを割り振ることにより、システム全体としてデータの伝送効率を高めている。
【０００９】
ここで、一般的に、送信電力には上限があり、伝送レートが高いほど強い送信電力を必要とするので、所望の受信品質で受信可能なエリア半径は、伝送レートが高速であるほど小さくなる。従って、セル端周辺に存在する通信端末は、低い伝送レートでしかＨＤＲのサービスを受けることができない。
【００１０】
【発明が解決しようとする課題】
しかしながら、基地局が低い伝送レートでデータを送信すると送信完了まで長い時間が懸かってしまうため、その間、他の通信端末はＨＤＲのサービスを受けることができず、システムの伝送効率低下を招いてしまうという問題がある。
【００１１】
本発明はかかる点に鑑みてなされたものであり、ＨＤＲにおいてさらなる伝送効率の向上を図ることができる基地局装置、通信端末装置及び通信方法を提供することを目的とする。
【００１２】
【課題を解決するための手段】
本発明の基地局装置は、通信中の各通信端末装置から送信された、前記各通信端末装置が所望の品質で受信可能である下り伝送レートを示す第１情報に基づいて通信リソースの割り振りを行う割り振り手段と、前記第１情報を送信した通信端末装置の数が所定の閾値より多い場合にトラフィック状況が増大していると判断し、前記トラフィック状況が増大しているか否かに応じて選択可能な伝送レートを決定する伝送レート決定手段と、通信リソースの割り振りを示す第２情報及び選択可能な伝送レートを示す第３情報を作成して通信端末装置に送信する制御情報送信手段と、通信リソースの割り振りに従って特定の通信端末装置にデータを送信するデータ送信手段と、を具備する構成を採る。
【００１３】
本発明の基地局装置は、伝送レート決定手段は、トラフィック状況が増大している場合、低い伝送レートを選択肢から外す構成を採る。
【００１５】
本発明の基地局装置は、伝送レート決定手段は、要求された伝送レートの分布に従って前記閾値を逐次変化させる構成を採る。
【００１６】
本発明の基地局装置は、通信中の各通信端末装置から送信された、前記各通信端末装置が所望の品質で受信可能である下り伝送レートを示す第１情報に基づいて通信リソースの割り振りを行う割り振り手段と、第１閾値よりも低い伝送レートを要求した通信端末装置の数が第２閾値より多い場合、トラフィック状況が増大していると判断し、前記トラフィック状況が増大しているか否かに応じて選択可能な伝送レート決定する伝送レート決定手段と、通信リソースの割り振りを示す第２情報及び選択可能な伝送レートを示す第３情報を作成して通信端末装置に送信する制御情報送信手段と、通信リソースの割り振りに従って特定の通信端末装置にデータを送信するデータ送信手段と、を具備する構成を採る。
【００１７】
本発明の基地局装置は、伝送レート決定手段は、要求された伝送レートの分布に従って前記第１閾値あるいは前記第２閾値の少なくとも一方を逐次変化させる構成を採る。
【００１８】
これらの構成により、トラフィック状況が増大している場合等に、基地局装置が、低い伝送レートを選択肢から外すことができるので、通信端末装置に低い伝送レートでデータを送信することがなくなり、システムの伝送効率向上を図ることができる。
【００１９】
本発明の基地局装置は、伝送レート決定手段は、近隣セルのトラフィック情報を検出し、前記近隣セルの容量に余裕がある場合のみ、低い伝送レートを選択肢から外す構成を採る。
【００２０】
この構成により、基地局装置が他セルの基地局装置と連携をとれば動的なサービスエリアを構築することができ、選択された伝送レートではサービスを受けられない通信端末装置が、他セルでサービスを受けることができる。
【００２１】
本発明の基地局装置は、伝送レート決定手段は、近隣エリアでサービスを提供している他通信システムのトラフィック情報を検出し、前記他通信システムの容量に余裕がある場合のみ、低い伝送レートを選択肢から外す構成を採る。
【００２２】
この構成により、選択された伝送レートではサービスを受けられない通信端末が、サービスを受けられる他システムをサーチし、必要に応じてハンドオーバすることができ、他システムで転送サービスを受けることができる。
【００２３】
本発明の通信端末装置は、上記いずれかに記載の基地局装置から送信された信号の受信品質を測定する測定手段と、測定された受信品質に基づいて所望品質で受信可能な伝送レートを算出する伝送レート算出手段と、前記基地局装置から送信された信号から第２情報及び第３情報を復調する復調手段と、算出された伝送レートが、前記第３情報に基づいて選択可能である場合のみ第１情報を作成して前記基地局装置に送信する制御情報送信手段と、前記第２情報に従って前記基地局装置から送信されたデータを受信するデータ受信手段とを具備することを特徴とする通信端末装置。
【００２４】
この構成により、通信端末装置は、セル端周辺に存在する等、選択された伝送レートではサービスを受けられない場合、データ送信を要求する信号を送信しないので、消費電力の低減を図ることができる。
【００２５】
本発明の通信方法は、基地局装置で用いられる通信方法であって、通信中の各通信端末装置から送信された、前記各通信端末装置が所望の品質で受信可能である下り伝送レートを示す第１情報に基づいて通信リソースの割り振りを行う割り振り工程と、前記第１情報を送信した通信端末装置の数が所定の閾値より多い場合にトラフィック状況が増大していると判断し、前記トラフィック状況が増大しているか否かに応じて選択可能な伝送レート決定する伝送レート決定工程と、通信リソースの割り振りを示す第２情報及び選択可能な伝送レートを示す第３情報を作成して通信端末装置に送信する制御情報送信工程と、通信リソースの割り振りに従って特定の通信端末装置にデータを送信するデータ送信工程と、を具備する方法をとる。また、本発明の通信方法は、基地局装置で用いられる通信方法であって、通信中の各通信端末装置から送信された、前記各通信端末装置が所望の品質で受信可能である下り伝送レートを示す第１情報に基づいて通信リソースの割り振りを行う割り振り工程と、第１閾値よりも低い伝送レートを要求した通信端末装置の数が第２閾値より多い場合、トラフィック状況が増大していると判断し、前記トラフィック状況が増大しているか否かに応じて選択可能な伝送レート決定する伝送レート決定工程と、通信リソースの割り振りを示す第２情報及び選択可能な伝送レートを示す第３情報を作成して通信端末装置に送信する制御情報送信工程と、通信リソースの割り振りに従って特定の通信端末装置にデータを送信するデータ送信工程と、を具備する方法をとる。
【００２６】
この方法により、基地局装置が、通信端末装置に低い伝送レートでデータを送信することがなくなり、システムの伝送効率向上を図ることができる。
【００２７】
また、通信端末装置は、セル端周辺に存在する等、選択された伝送レートではサービスを受けられない場合、データ送信を要求する信号を送信しないので、消費電力の低減を図ることができる。
【００２８】
また、選択された伝送レートではサービスを受けられない通信端末装置が、他セルでサービスを受けられるか否かサーチすることができるので、基地局装置が他セルの基地局装置と連携をとれば動的なサービスエリアを構築することができる。
【００２９】
【発明の実施の形態】
本発明の骨子は、基地局がトラフィック状況を判断し、トラフィックが増大している場合には通信端末に対して低い伝送レートを選択できないようにすることである。
【００３０】
以下、本発明の実施の形態について、添付図面を参照して詳細に説明する。
図１は、本発明の一実施の形態に係る基地局の構成を示すブロック図である。
【００３１】
図１において、伝送レート決定部１０１は、後述する復調部１１５から出力されたデータレートコントロール（以下「ＤＲＣ」という）信号に基づいてトラフィック状況を判断して選択可能な伝送レート決定する。
【００３２】
例えば、伝送レート決定部１０１は、ＤＲＣ信号を送信した通信端末装置の数が閾値より多い場合、あるいは、低い伝送レートを要求した通信端末装置の数が閾値より多い場合、トラフィック状況が増大していると判断し、低い伝送レートを選択肢から外す。この場合、伝送レート決定部１０１は、要求された伝送レートの分布に従って閾値を逐次変化させることもできる。
【００３３】
あるいは、伝送レート決定部１０１は、近隣セルのトラフィック情報あるいは近隣エリアでサービスを提供している他通信システムのトラフィック情報を検出し、近隣セルあるいは他通信システムの容量に余裕がある場合のみ低い伝送レートを選択肢から外す。
【００３４】
そして、伝送レート決定部１０１は、決定した選択可能な伝送レートを示す情報を制御信号作成部１０６に出力する。なお、ＤＲＣ信号とは、通信端末が所望の品質で受信可能である伝送レートを示す信号である。
【００３５】
割り当て部１０２は、後述する復調部１１５から出力されたＤＲＣ信号に基づいて各通信端末の通信可能な伝送レートを把握し、各通信端末への通信リソースの割り振りを決定する。そして、割り当て部１０２は、決定した通信リソースの割り振りに基づいて、バッファ１０３に下り送信データの出力を指示し、適応変調部１０４に対して下り送信データの変調方式を指示し、適応拡散部１０５に対して下り送信データに乗算する拡散符号を指示する。また、割り当て部１０２は、決定した通信リソースの割り振りを示す情報を制御信号作成部１０６に出力する。
【００３６】
バッファ１０３は、下り送信データを保持し、割り当て部１０２からの指示に従って、所定の通信端末に対する下り送信データを適応変調部１０４に出力する。適応変調部１０４は、割り当て部１０２の指示に従って、バッファ１０３の出力信号を変調して適応拡散部１０５に出力する。適応拡散部１０５は、割り当て部１０２の指示に従って、適応変調部１０４の出力信号を拡散して多重部１０９に出力する。
【００３７】
制御信号作成部１０６は、選択可能な伝送レートを示す情報及び通信リソースの割り振りを示す情報を含む制御信号を作成して変調部１０７に出力する。
【００３８】
変調部１０７は、制御信号及びパイロット信号を変調して拡散部１０８に出力する。なお、通信開始時には、パイロット信号のみが変調部１０７にて変調される。拡散部１０８は、変調部１０７の出力信号を拡散して多重部１０９に出力する。
【００３９】
多重部１０９は、拡散後の下り送信データに拡散後の制御信号及びパイロット信号を所定の間隔で時間多重し、送信ＲＦ部１１０に出力する。送信ＲＦ部１１０は、多重部１０９の出力信号の周波数を無線周波数に変換して共用器１１１に出力する。
【００４０】
共用器１１１は、送信ＲＦ部１１０の出力信号をアンテナ１１２から通信端末に無線送信する。また、共用器１１１は、各通信端末から無線送信され、アンテナ１１２に無線受信された信号を受信ＲＦ部１１３に出力する。
【００４１】
受信ＲＦ部１１３は、共用器１１１から出力された無線周波数信号の周波数をベースバンドに変換して逆拡散部１１４に出力する。逆拡散部１１４は、ベースバンド信号を逆拡散して復調部１１５に出力する。
【００４２】
復調部１１５は、逆拡散部１１４の出力信号を復調してＤＲＣ信号を抽出し、伝送レート決定部１０１及び割り当て部１０２にＤＲＣ信号を出力する。
【００４３】
図２は、本実施の形態に係る通信端末の構成を示すブロック図である。
【００４４】
図２において、伝送レート算出部２０１は、後述するＣＩＲ測定部２１２にて測定されたＣＩＲに基づいて所望の品質で受信可能な伝送レートを算出してＤＲＣ信号作成部２０２に出力する。
【００４５】
ＤＲＣ信号作成部２０２は、後述する復調部２１３にて復調された選択可能な伝送レートを示す情報を判断基準として、伝送レート算出部２０１にて算出された伝送レートが選択可能である場合にのみＤＲＣ信号を作成して変調部２０３に出力する。また、ＤＲＣ信号作成部２０２は、後述する復調部２１３にて復調された通信リソースの割り振りを示す情報に基づいて、適応逆拡散部２０９に対して下り受信データに乗算する拡散符号を指示し、適応復調部２１０に対して下り受信データの復調方式を指示する。
【００４６】
変調部２０３は、ＤＲＣ信号を変調して拡散部２０４に出力する。拡散部２０４は、変調部２０３の出力信号を拡散して送信ＲＦ部２０５に出力する。送信ＲＦ部２０５は、拡散部２０４の出力信号を無線周波数に周波数変換して共用器２０６に出力する。
【００４７】
共用器２０６は、送信ＲＦ部２０５の出力信号をアンテナ２０７から基地局に無線送信する。また、共用器２０６は、基地局から無線送信され、アンテナ２０７に無線受信された信号を受信ＲＦ部２０８に出力する。
【００４８】
受信ＲＦ部２０８は、共用器２０６から出力された無線周波数信号の周波数をベースバンドに変換し、適応逆拡散部２０９及び逆拡散部２１１に出力する。
【００４９】
適応逆拡散部２０９は、ＤＲＣ信号作成部２０２の指示に従って、ベースバンド信号のデータ成分を逆拡散して適応復調部２１０に出力する。適応復調部２１０は、ＤＲＣ信号作成部２０２の指示に従って、適応逆拡散部２０９の出力信号を復調して受信データを取り出す。
【００５０】
逆拡散部２１１は、ベースバンド信号の制御信号成分を逆拡散してＣＩＲ測定部２１２及び復調部２１３に出力する。ＣＩＲ測定部２１２は、逆拡散部２１１から出力されたパイロット信号成分からＣＩＲを測定してＤＲＣ信号作成部２０２に出力する。復調部２１３は、逆拡散部２１１の出力信号を復調して、選択可能な伝送レートを示す情報及び通信リソースの割り振りを示す情報をＤＲＣ信号作成部２０２に出力する。
【００５１】
次に、上記図１に示した基地局と上記図２に示した通信端末との間における信号の送受の手順について説明する。
【００５２】
まず、通信開始時に、基地局の変調部１０７にてパイロット信号が変調され、拡散部１０８にて拡散され、多重部１０９に出力される。多重部１０９からは拡散後のパイロット信号のみが送信ＲＦ部１１０に出力される。拡散後のパイロット信号は、送信ＲＦ部１１０にて無線周波数に周波数変換され、共用器１１１を介してアンテナ１１２から各通信端末に無線送信される。
【００５３】
基地局から無線送信されたパイロット信号成分のみの無線信号は、通信端末のアンテナ２０７に受信され、共用器２０６を介し、受信ＲＦ部２０８にてベースバンドに周波数変換される。ベースバンド信号のパイロット信号成分は、逆拡散部２１１にて逆拡散され、ＣＩＲ測定部２１２に出力される。
【００５４】
次に、ＣＩＲ測定部２１２において、逆拡散部２１１から出力されたパイロット信号に基づいてＣＩＲが算出され、伝送レート算出部２０１において、ＣＩＲに基づいて所望の品質で受信可能な伝送レートが算出される。そして、ＤＲＣ信号作成部２０２にて、当該伝送レートを示すＤＲＣ信号が作成される。
【００５５】
ＤＲＣ信号は、変調部２０３にて変調され、拡散部２０４にて拡散され、送信ＲＦ部２０５にて無線周波数に周波数変換され、共用器２０６を介してアンテナ２０７から基地局に無線送信される。
【００５６】
通信端末から無線送信された信号は、基地局のアンテナ１１２に受信され、共用器１１１を介して受信ＲＦ部１１３に入力される。受信ＲＦ部１１３に入力された信号は、ベースバンドに周波数変換され、逆拡散部１１４にて逆拡散され、復調部１１５にて復調され、ＤＲＣ信号が取り出される。
【００５７】
次に、伝送レート決定部１０１において、ＤＲＣ信号に基づいてトラフィック状況が判断され、選択可能な伝送レートが決定される。同時に、割り当て部１０２において、ＤＲＣ信号に基づいて各通信端末への通信リソースの割り振りが決定される。
【００５８】
そして、制御信号作成部１０６において、選択可能な伝送レートを示す情報及び通信リソースの割り振りを示す情報を含む制御信号が作成され、変調部１０７に出力される。
【００５９】
制御信号及びパイロット信号は、変調部１０７にて変調され、拡散部１０８にて拡散され、多重部１０９に出力される。
【００６０】
一方、基地局から通信端末に送られる下り送信データは、通信リソースの割り振りが決定するまでバッファ１０３に蓄えられる。バッファ１０３から出力された下り送信データは、適応変調部１０４にて通信端末で受信可能な変調方式で変調され、適応拡散部１０５にて通信端末で受信可能な拡散符号で拡散され、多重部１０９に出力される。
【００６１】
多重部１０９では、拡散後の下り送信データに拡散後の制御信号及びパイロット信号が所定の間隔で時間多重される。多重部１０９の出力信号は、送信ＲＦ部１１０にて無線周波数に周波数変換され、共用器１１１を介してアンテナ１１２から各通信端末に無線送信される。
【００６２】
基地局から無線送信された信号は、各通信端末のアンテナ２０７に受信され、共用器２０６を介し、受信ＲＦ部２０８にてベースバンドに周波数変換される。
ベースバンド信号の制御信号成分は、逆拡散部２１１にて逆拡散され、ＣＩＲ測定部２１２及び復調部２１３に出力される。
【００６３】
次に、ＣＩＲ測定部２１２において、逆拡散部２１１から出力されたパイロット信号に基づいてＣＩＲが算出され、伝送レート算出部２０１において、ＣＩＲに基づいて所望の品質で受信可能な伝送レートが算出される。同時に、復調部２１３において、逆拡散部２１１の出力信号が復調され、選択可能な伝送レートを示す情報及び通信リソースの割り振りを示す情報が取り出される。
【００６４】
ここで、通信リソースの割り振られた通信端末では、ベースバンド信号のデータ成分が、適応逆拡散部２０９にて逆拡散され、適応復調部２１０で復調され、所望のデータが取り出される。
【００６５】
一方、通信リソースの割り振られていない通信端末では、再度、ＤＲＣ信号作成部２０２にてＤＲＣ信号が作成されて基地局に送信される。ただし、所望の品質で受信可能な伝送レートが選択肢にない場合にはＤＲＣ信号の作成が停止される。
【００６６】
このように、トラフィック状況が増大している場合等に、基地局が、低い伝送レートを選択肢から外すことにより、通信端末に低い伝送レートでデータを送信することがなくなり、システムの伝送効率向上を図ることができる。
【００６７】
また、通信端末は、セル端周辺に存在する等、選択された伝送レートではサービスを受けられない場合、ＤＲＣ信号を送信しないので、消費電力の低減を図ることができる。
【００６８】
また、基地局が他セルの基地局とトラフィック情報を交換して連携をとれば動的なサービスエリアを構築することができ、選択された伝送レートではサービスを受けられない通信端末が、サービスを受けられる他セルをサーチし、必要に応じてハンドオーバすることができる。
【００６９】
また、基地局が他システムとトラフィック情報を交換することにより、選択された伝送レートではサービスを受けられない通信端末が、サービスを受けられる他システムをサーチし、必要に応じてハンドオーバすれば、通信端末が既存のＨＤＲシステムでサービスを受けられない場合でも他システムでデータ転送サービスを受けることができる。
【００７０】
なお、上記実施の形態では、通信端末側で送信データの伝送レートを決定し、基地局側で通信リソースの割り振りを行うシステムについて説明したが、本発明はこれに限られず、基地局側で送信データの伝送レートを決定して通信リソースの割り振りを行うシステムにも有効である。この場合、各通信端末は、測定したＣＩＲを示す情報を基地局に送信する。
【００７１】
また、上記実施の形態では、ＣＩＲに基づいて通信可能な伝送レートを算出する場合について説明したが、本発明はこれに限られず、ＣＩＲ以外の受信品質を示す値を用いることもできる。
【００７２】
また，上記実施の形態では、パイロット信号が時間多重される場合について説明したが、本発明はこれに限られず、パイロット信号がコード多重されている場合でも同様にパイロット信号の品質を測定することにより伝送レートを算出することができる。
【００７３】
【発明の効果】
以上説明したように、本発明によれば、基地局が、通信端末に低い伝送レートでデータを送信することがなくなるので、システムの伝送効率を向上することができる。
【図面の簡単な説明】
【図１】本発明の一実施の形態に係る基地局の構成を示すブロック図
【図２】上記実施の形態に係る通信端末の構成を示すブロック図
【図３】従来のＨＤＲ方式を用いた通信形態を示す図
【符号の説明】
１０１  伝送レート決定部
１０２  割り当て部
１０３  バッファ
１０４  適応変調部
１０５  適応拡散部
１０６  制御信号作成部
１０７  変調部
１０８  拡散部
１０９  多重部
２０１  伝送レート算出部
２０２  ＤＲＣ信号作成部
２０９  適応逆拡散部
２１０  適応復調部
２１１  逆拡散部
２１２  ＣＩＲ測定部
２１３  復調部
【図１】
0004570741.tif 000002
【図２】
0004570741.tif 000003
【図３】
0004570741.tif 000004